(57)【特許請求の範囲】
【請求項１】
装置本体に内蔵された記録媒体再生部と、前面パネルの所定位置に配置され、記録媒体を前記記録媒体再生部にローディングするための記録媒体挿入口と、該記録媒体挿入口の近傍に配置され、操作されると装置の動作機能を指令するための指令信号が装置の全体動作を制御する制御手段に供給されることとなる操作キーとを有する記録媒体再生装置において、前記記録媒体挿入口に記録媒体が挿入されたことを検出する記録媒体検出手段を設け、前記制御手段は、前記記録媒体を前記記録媒体再生部にローディング中でかつ前記記録媒体検出手段が、前記記録媒体が通過するまでの間「記録媒体有」検出信号を発生し、その信号の発生期間になされた前記操作キーの操作を無効とし、さらに、前記ローディング状態中で前記記録媒体検出手段が「記録媒体無」検出信号を発生した場合、その後における操作キーの操作を有効とするように制御することを特徴とする記録媒体再生装置。
【請求項２】
請求項１記載の記録媒体再生装置において、制御手段は、さらに、前記記録媒体検出手段が「記録媒体有」検出信号を発生した後、前記操作キーが押され、続いて前記記録媒体検出手段が「記録媒体無」検出信号を発生した後も同じ操作キーが押され続けていることを認識した際に、そのキー操作を無効とするように制御することを特徴とする記録媒体再生装置。
【発明の詳細な説明】
【０００１】
【発明の属する技術分野】
本発明はＭＤ（ミニディスク）等の記録媒体再生装置に関する。
【０００２】
【従来の技術】
従来の記録媒体再生装置、例えばＭＤ（ミニディスク）再生装置として、ディスク再生部が本体に内蔵され、ＭＤディスクをディスク再生部にローディングするためのディスク挿入口が前面パネルの所定位置に配置され、装置の動作機能を指令するための操作キーがパネルデザイン上、ディスク挿入口の近傍、例えば真下、に配置されたものがある。
【０００３】
【発明が解決しようとする課題】
このようなパネルデザインのＭＤ再生装置では、ディスク挿入口付近に操作キーが配置されているので、ディスクを挿入した（押し込んだ）際に、操作キーを無意識の内に押してしまうことがあった。そして、ディスク挿入時、操作キーを無意識の内に押すことによって、ユーザーの意図していない機能がオンしてしまうという問題があった。
【０００４】
本発明は、上記従来装置の問題を解決した記録媒体再生装置を提供することにある。
【０００５】
【課題を解決するための手段】
本発明による記録媒体再生装置は、請求項１に記載のように、装置本体に内蔵された記録媒体再生部と、前面パネルの所定位置に配置され、記録媒体を記録媒体再生部にローディングするための記録媒体挿入口と、該記録媒体挿入口の近傍に配置され、操作されると装置の動作機能を指令するための指令信号が装置の全体動作を制御する制御手段に供給されることとなる操作キーとを有する記録媒体再生装置において、前記記録媒体挿入口に記録媒体が挿入されたことを検出する記録媒体検出手段を設け、前記制御手段は、前記記録媒体を前記記録媒体再生部にローディング中でかつ前記記録媒体検出手段が、記録媒体が通過するまでの間「記録媒体有」検出信号を発生し、その信号の発生期間になされた操作キーの操作を無効とし、さらに、ローディング状態中で前記記録媒体検出手段が「記録媒体無」検出信号を発生した場合、その後における操作キーの操作を有効とするように制御することを特徴とする。
【０００６】
また、本発明による記録媒体再生装置は、請求項２に記載のように、請求項１記載の記録媒体再生装置において、制御手段は、さらに、記録媒体検出手段が「記録媒体有」検出信号を発生した後、操作キーが押され、続いて記録媒体検出手段が「記録媒体無」検出信号を発生した後も同じ操作キーが押され続けていることを認識した際に、そのキー操作を無効とするように制御することを特徴とする。
【０００８】
【発明の実施の形態】
図面は本発明による記録媒体再生装置の一実施例を示す。図１は部分斜視であり、ディスク挿入口にディスクが掛かっている状態を示している。図２は部分断面図であり、（Ａ）は、図１を横から見た状態を示し、（Ｂ）は、ディスクを押し込んだ直後の状態を示し、（Ｃ）は、ディスク再生部にディスクをローディングしている状態を示している。
【０００９】
図１及び２において、１は装置本体、２は装置本体に内蔵されたディスク再生部、３は前面パネル、４は前面パネル３に形成されたディスク挿入口、５はディスク有無センサスイッチ、６は前面パネル３のディスク挿入口４の真下に配置された操作キー、７はＭＤディスクである。
ディスク有無センサスイッチ５は、例えば、ディスク挿入口４内部のほぼ中間の上部に設けられた発光素子５ａと、下部に設けられ、発光素子５ａからの光を受ける受光素子５ｂとからなり、発光素子５ａから発せられた光が受光素子５ｂに届いている時は「ディスク無」、ＭＤディスク７で遮断された時は「ディスク有」を示す検出信号を発生するものである。また、操作キー６を操作すると、装置の動作機能を指令するための指令信号が、装置の全体動作を制御するマイクロコンピュータ（図示しないが、以下マイコンと呼ぶ）に供給され、ディスク再生部２の動作が制御される。
【００１０】
上記の構成において、まず、図２（Ａ）で示すように、ＭＤディスク７がディスク挿入口４に挿入されると、ディスク有無センサスイッチ５がオンとなって、ＭＤディスク７がディスク挿入口４内に存在することが検出され、検出信号がマイコンに供給される。
次いで図２（Ｂ）に示すように、その状態からＭＤディスク７が指でさらに押し込まれ、次いで図２（Ｃ）に示すように、ＭＤディスク７が指から離れてディスク再生部２にローディングされる（引き込まれる）。
【００１１】
ディスク有無センサスイッチ５からの検出信号は、ＭＤディスク７がディスク挿入口４に挿入された時点からＭＤディスク７が指を離れた後ディスク有無センサスイッチ５を通過するまでの間、マイコンに供給される。
ディスク再生部２がローディング状態中かつディスク有無センサスイッチ５がオンしている間、マイコンは操作キー６の操作を無効とする処理を実行する。したがって、ＭＤディスク７の挿入時に操作キー６が誤って押されても、そのキー操作は無効とされ、再生装置が誤動作することはなくなる。
【００１２】
ここで、操作キー無効の状態から有効とする条件は、図２（Ｃ）に示すように、ＭＤディスク７がディスク再生部２に引き込まれて、ディスク有無センサスイッチ５のオフを検出した時点（ＭＤディスク７がディスク有無センサスイッチ５の位置を通過した時点）で有効とする。
【００１３】
また、図２（Ｂ）及び（Ｃ）で示すように、ディスク有無センサスイッチ５がオンとなった後操作キー６が押され、ＭＤディスク７が指を離れディスク有無センサスイッチ５がオフとなった後も同じ操作キー６が押され続けていた場合は、マイコンがこのようなキー操作状態にあることを判別し、そのキー操作は無効とされ、またその他の全操作キー６のキー操作も無効とされる。
【００１４】
また、全ての操作キー６が一度離された後、すなわちキーオフ状態にあることがマイコンで判別された後、再びいずれかの操作キー６が押された時に有効とするように制御される。
【００１５】
次に、上記の動作を図３に示すフローチャートで説明する。
まず、ステップＳ１で、ディスク再生部２がローディング中か否かをマイコンで判別し、イエスならばＳ２に進み、ディスク有無センサスイッチ５がオンか否かをマイコンで判別し、イエスならばＳ３に進み、操作キーがオンか否かをマイコンで判別する。
Ｓ３の答がイエスならばＳ４に進み、マイコンはキー処理を無効とし、次いでＳ１に戻る。Ｓ３の答がノーならばＳ１に戻る。
また、Ｓ２の答がノーならばＳ５に進み、操作キーオフ状態か否かをマイコンで判別し、イエスならばＳ６に進み、操作キーがオンされたか否かをマイコンでは判別する。Ｓ６の答がイエスならばＳ７に進み、マイコンはキー処理を有効とし、次いで作業を終了する。
Ｓ５の答がノーならばＳ８に進み、マイコンはキー処理を無効とし、次いでＳ１に戻る。
【００１６】
以上説明したように、ＭＤディスク７をディスク挿入口４に挿入してディスク有／無センサスイッチ５がオンの間は、誤って操作キー７が押されてもマイコンがそのキー操作を無効となるように制御しているので、装置の誤作動（機能のオン）を防止することができる。
【００１７】
【実施例】
以上本発明の実施の形態について、ＭＤディスクを対象として説明していたが、本発明はこれに限らず、カセットテープ等オーディオソース系やビデオディスク等のビデオソース系を記録／再生する場合等種々の記録媒体再生装置に適用可能である。
【００１８】
【発明の効果】
本発明によれば、記録媒体挿入時の操作キーの誤操作を防ぐことができる。
【図面の簡単な説明】
【図１】本発明による記録媒体再生装置の一実施例を示す斜視図であり、ディスク挿入口にディスクが掛かっている状態を示している。
【図２】本発明による記録媒体再生装置の一実施例を示す部分断面図であり、（Ａ）は、図１を横から見た状態を示し、（Ｂ）は、ディスクを押し込んだ直後の状態を示し、（Ｃ）は、ディスク再生部がディスクをローディングしている状態を示している。
【図３】本発明による記録媒体再生装置の動作を説明するフローチャートである。
【符号の説明】
１    装置本体
２    ディスク再生部
３    前面パネル
４    ディスク挿入口
５    ディスク有無センサスイッチ
５ａ  発光素子
５ｂ  受光素子
６    操作キー
７    ＭＤディスク
【図１】
0003614298.tif 000002
【図２】
0003614298.tif 000003
【図３】
0003614298.tif 000004